(57)【要約】    【課題】接着剤フィルムの長尺化に対応すべく、接着剤がはみ出ないような径で接着フィルムを多段状に巻取る方法及びこれに適用可能なリール部材を提供すること。    【解決手段】本発明に係るリール部材は、所定のフィルムを巻回可能な巻取軸部５２Ａと、巻取軸部５２Ａに複数配列された状態で設けられたフランジ部５１Ａであって、当該フランジ部５１Ａに対して一方側の巻取軸部５２Ａから他方側の巻取軸部５２Ａにフィルムが通過するための案内溝部５３Ａを有するフランジ部５１Ａとを備えたことを特徴とする。【選択図】  図１
2007191314.tif 000002
【特許請求の範囲】
【請求項１】
所定のフィルムを巻回可能な巻取軸部と、該巻取軸部に複数配列された状態で設けられたフランジ部とを有し、該フランジ部には、互いに隣接する巻取軸部にフィルムを通過させるための案内溝部が設けられていることを特徴とするリール部材。
【請求項２】
前記案内溝部には、フィルムと係合可能な係合部が形成されていることを特徴とする請求項１記載のリール部材。
【請求項３】
前記案内溝部には、フィルムを係止可能な係止部が形成されていることを特徴とする請求項１又は２のいずれか１項記載のリール部材。
【請求項４】
各案内溝部は、他の案内溝部と互いに対向する位置に配置されていることを特徴とする請求項１乃至３のいずれか１項記載のリール部材。
【請求項５】
所定のフィルムを巻回可能な巻取軸部と、
該巻取軸部に複数配列された状態で設けられたフランジ部であって、当該フランジ部の外周部分にフィルムと係合可能な係合突部を有するフランジ部とを備えたことを特徴とするリール部材。
【請求項６】
各係合突部は、他の係合突部と互いに対向する位置に配置されていることを特徴とする請求項５記載のリール部材。
【請求項７】
前記フランジ部の外径は、フィルムが前記巻取軸部に巻取られることによって当該フィルムに生じる応力の値に基づいて定められることを特徴とする請求項１乃至６のいずれか１項記載のリール部材。
【請求項８】
請求項１乃至７のいずれか１項記載のリール部材であって、前記巻取軸部の軸方向に互いに結合可能に構成されたことを特徴とするリール部材。
【請求項９】
所定のフィルムを巻回可能な巻取軸部と、該巻取軸部に一つ設けられたフランジ部であって、当該フランジ部にフィルムを通過させるための案内溝部を有するフランジ部とを備え、
前記巻取軸部の軸方向に互いに結合可能に構成されたことを特徴とするリール部材。
【請求項１０】
前記案内溝部には、フィルムと係合可能な係合部が形成されていることを特徴とする請求項９記載のリール部材。
【請求項１１】
前記案内溝部には、フィルムを係止可能な係止部が形成されていることを特徴とする請求項９又は１０のいずれか１項記載のリール部材。
【請求項１２】
所定のフィルムを巻回可能な巻取軸部と、該巻取軸部に一つ設けられたフランジ部であって、当該フランジ部の外周部分にフィルムと係合可能な係合突部を有するフランジ部とを備え、
前記巻取軸部の軸方向に互いに結合可能に構成されたことを特徴とするリール部材。
【請求項１３】
請求項８乃至１２の一又は二種以上の複数からなるリール部材が結合されて構成されるリール部材結合体。
【請求項１４】
請求項１乃至７のいずれか１項記載のリール部材又は請求項１３記載のリール部材結合体の巻取軸部に一連のフィルムが巻回されてなることを特徴とするフィルム収容体。
【請求項１５】
当該巻取軸部につき、フィルムが巻回された巻取軸部の間にフィルムが巻回されていない巻取軸部が介在されていることを特徴とする請求項１４記載のフィルム収容体。
【請求項１６】
同一軸上に所定の間隔をおいて複数配列された巻取軸部と、各巻取軸部の両端部に設けられたフランジ部とを有し、各フランジ部に所定の中心角で切り欠かれた案内溝部が、当該中心角ごとに位相がずれて配列されていることを特徴とするリール部材。
【請求項１７】
各巻取軸部の間に、フィルムを誘導するためのスペース軸部が設けられていることを特徴とする請求項１６記載のリール部材。
【請求項１８】
互いに隣接する案内溝部において対向する案内縁部には、フィルムを誘導するための面取りが所定の角度で施されていることを特徴とする請求項１６又は１７のいずれか１項記載のリール部材。
【請求項１９】
請求項１６乃至１８のいずれか１項記載のリール部材に一連のフィルムが巻回されてなることを特徴とするフィルム収容体。
【請求項２０】
前記フィルムは、絶縁性接着フィルムであることを特徴とする請求項１４、１５又は１９のいずれか１項記載のフィルム収容体。
【請求項２１】
前記フィルムは、異方導電性接着フィルムであることを特徴とする請求項１４、１５又は１９のいずれか１項記載のフィルム収容体。
【請求項２２】
前記フィルムは、剥離フィルムに接着剤が積層されたものであって、前記フランジ部に対して一方側から他方側に引き回すのに必要な部分に前記剥離フィルムが露出していることを特徴とする請求項１６又は１７のいずれか１項記載のフィルム収容体。
【請求項２３】
送り出し側から引き出される一連のフィルムを巻取軸に多段状に巻取るフィルムの巻取方法において、
前記巻取軸を所定の速度で回転させることにより前記巻取軸の一部に当該フィルムの所定の部分を巻き取った後、
前記巻取軸の回転を停止又は減速させるとともに前記巻取軸を送り側に対して相対的に軸方向に移動させることにより前記巻取軸の他の一部に当該フィルムの所定の部分を巻取ることを特徴とするフィルムの巻取方法。
【請求項２４】
送り出し側から引き出される一連のフィルムを巻取軸のうちフランジによって仕切られる前記巻取軸の部分ごとに巻取るフィルムの巻取方法において、
前記巻取軸を所定の速度で回転させることにより前記巻取軸の一の部分に当該フィルムの所定の部分を巻き取った後、
前記巻取軸の回転を停止又は減速させるとともに前記巻取軸を送り側に対して相対的に軸方向に移動させることにより当該フィルムを前記フランジを通過させてから前記巻取軸の他の部分に当該フィルムの所定の部分を巻取ることを特徴とするフィルムの巻取方法。
【請求項２５】
請求項１乃至７のいずれか１項記載のリール部材又は請求項１３記載のリール部材結合体を用いて一連のフィルムを巻取る方法につき、一の巻取軸部にフィルムを巻取り終った後、使用しない巻取軸部を少なくとも一つおいて次の巻取軸部にフィルムを巻付けることを特徴とするフィルムの巻取方法。
【請求項２６】
請求項１６乃至１８のいずれか１項記載のリール部材を用いて一連のフィルムを巻取る方法につき、巻取軸部を軸方向に移動させるタイミングを案内溝部の中心角ごとにずらすことを特徴とするフィルムの巻取方法。
【請求項２７】
所定のフィルムを巻回可能な巻取軸部と、該巻取軸部に複数配列された状態で設けられたフランジ部とを有し、該フランジ部には、互いに隣接する巻取軸部にフィルムを通過させるための案内溝部が設けられ、該案内溝部には、フィルムを係止可能な係止部が形成されていることを特徴とするリール部材。
【請求項２８】
各案内溝部は、他の案内溝部と互いに対向する位置に配置されていることを特徴とする請求項２７記載のリール部材。
【請求項２９】
前記フランジ部の外径は、フィルムが前記巻取軸部に巻取られることによって当該フィルムに生じる応力の値に基づいて定められることを特徴とする請求項２７又は２８のいずれか１項記載のリール部材。
【請求項３０】
請求項２７乃至２９のいずれか１項記載のリール部材であって、前記巻取軸部の軸方向に互いに結合可能に構成されたことを特徴とするリール部材。
【請求項３１】
所定のフィルムを巻回可能な巻取軸部と、該巻取軸部に一つ設けられたフランジ部であって、当該フランジ部にフィルムを通過させるための案内溝部を有するフランジ部とを備え、
前記フランジ部の案内溝部には、フィルムを係止可能な係止部が形成され、
前記巻取軸部の軸方向に互いに結合可能に構成されたことを特徴とするリール部材。
【請求項３２】
請求項３０又は３１のいずれか１項記載の一又は二種以上の複数からなるリール部材が結合されて構成されるリール部材結合体。
【請求項３３】
請求項２７乃至２９のいずれか１項記載のリール部材又は請求項３２記載のリール部材結合体の巻取軸部に一連のフィルムが巻回されてなることを特徴とするフィルム収容体。
【請求項３４】
当該巻取軸部につき、フィルムが巻回された巻取軸部の間にフィルムが巻回されていない巻取軸部が介在されていることを特徴とする請求項３３記載のフィルム収容体。
【請求項３５】
同一軸上に所定の間隔をおいて複数配列された巻取軸部と、各巻取軸部の両端部に設けられたフランジ部とを有し、各フランジ部に中心角θで切り欠かれた案内溝部が、当該中心角θごとに位相がずれて配列されていることを特徴とするリール部材。
ただし、当該中心角θは、当該リール部材を構成するフランジ部の単位構成数ｎに対し、３６０度／ｎとする。
【請求項３６】
各巻取軸部の間に、フィルムを誘導するためのスペース軸部が設けられていることを特徴とする請求項３５記載のリール部材。
【請求項３７】
互いに隣接する案内溝部において対向する案内縁部には、フィルムを誘導するための面取りが所定の角度で施されていることを特徴とする請求項３５又は３６のいずれか１項記載のリール部材。
【請求項３８】
請求項３５乃至３７のいずれか１項記載のリール部材に一連のフィルムが巻回されてなることを特徴とするフィルム収容体。
【請求項３９】
前記フィルムは、絶縁性接着フィルムであることを特徴とする請求項３３、３４又は３８のいずれか１項記載のフィルム収容体。
【請求項４０】
前記フィルムは、異方導電性接着フィルムであることを特徴とする請求項３３、３４又は３８のいずれか１項記載のフィルム収容体。
【請求項４１】
前記フィルムは、剥離フィルムに接着剤が積層されたものであって、前記フランジ部に対して一方側から他方側に引き回すのに必要な部分に前記剥離フィルムが露出していることを特徴とする請求項３５又は３６のいずれか１項記載のフィルム収容体。
【請求項４２】
請求項２７乃至２９のいずれか１項記載のリール部材又は請求項３２記載のリール部材結合体を用い、送り出し側から引き出される一連の絶縁性接着フィルム又は異方導電性接着フィルムを巻取軸のうちフランジによって仕切られる前記巻取軸の部分ごとに巻取るフィルムの巻取方法において、
前記巻取軸を所定の速度で回転させることにより前記巻取軸の一の部分に当該フィルムの所定の部分を巻き取った後、
前記巻取軸の回転を停止又は減速させるとともに前記巻取軸を送り側に対して相対的に軸方向に移動させることにより当該フィルムを前記フランジを通過させてから前記巻取軸の他の部分に当該フィルムの所定の部分を巻取ることを特徴とするフィルムの巻取方法。
【請求項４３】
請求項２７乃至２９のいずれか１項記載のリール部材又は請求項３２記載のリール部材結合体を用いて一連の絶縁性接着フィルム又は異方導電性接着フィルムを巻取る方法につき、一の巻取軸部にフィルムを巻取り終った後、使用しない巻取軸部を少なくとも一つおいて次の巻取軸部にフィルムを巻付けることを特徴とするフィルムの巻取方法。
【請求項４４】
３５請求項乃至３７のいずれか１項記載のリール部材を用いて一連のフィルムを巻取る方法につき、巻取軸部を軸方向に移動させるタイミングを案内溝部の当該中心角θごとにずらすことを特徴とするフィルムの巻取方法。
【発明の詳細な説明】
【技術分野】
【０００１】
本発明は、例えば、製造工程において絶縁性接着フィルムや異方導電性接着フィルムなどのように一連の長尺のフィルムを巻取る技術に関する。
【背景技術】
【０００２】
一般に、例えば、液晶パネルやＩＣチップのような電子部品同士を電気的に接続する場合には、絶縁性接着フィルムや異方導電性接着フィルムが用いられる。
このような接着フィルムは、所定の製造工程を経て完成したリール部材にロール状に巻取った形態で顧客先に出荷されている。
【発明の開示】
【発明が解決しようとする課題】
【０００３】
ところで、近年、顧客側から接着フィルムをさらに長尺化することが望まれている。
しかし、接着フィルムが長尺化すると、ロール状の径が増すことによって接着フィルムに生じる応力が増大するため、接着フィルム内の接着剤がはみ出るおそれがある。
【０００４】
本発明は、このような技術的課題を解決するためになされたもので、その目的とするところは、接着剤フィルムの長尺化に対応すべく、接着剤がはみ出ないような径で接着フィルムを多段状に巻取る方法及びこれに適用可能なリール部材を提供することにある。
【課題を解決するための手段】
【０００５】
上記目的を達成するためになされた請求項１記載の発明は、所定のフィルムを巻回可能な巻取軸部と、この巻取軸部に複数配列された状態で設けられたフランジ部とを有し、このフランジ部には、互いに隣接する巻取軸部にフィルムを通過させるための案内溝部が設けられていることを特徴とするリール部材である。
【０００６】
請求項２記載の発明のように、請求項１記載の発明において、案内溝部には、フィルムと係合可能な係合部が形成されていることも効果的である。
【０００７】
請求項３記載の発明のように、請求項１又は２のいずれか１項記載の発明において、前記案内溝部には、フィルムを係止可能な係止部が形成されていることも効果的である。
【０００８】
請求項４記載の発明のように、請求項１〜３のいずれか１項記載の発明において、各案内溝部は、他の案内溝部と互いに対向する位置に配置されていることも効果的である。
【０００９】
請求項５記載の発明は、所定のフィルムを巻回可能な巻取軸部と、この巻取軸部に複数配列された状態で設けられたフランジ部であって、当該フランジ部の外周部分にフィルムと係合可能な係合突部を有するフランジ部とを備えたことを特徴とするリール部材である。
【００１０】
請求項６記載の発明のように、請求項５記載の発明において、各係合突部は、他の係合突部と互いに対向する位置に配置されていることも効果的である。
【００１１】
請求項７記載の発明のように、請求項１〜６のいずれか１項記載の発明において、フランジ部の外径は、フィルムが巻取軸部に巻取られることによってフィルムに生じる応力の値に基づいて定められることも効果的である。
【００１２】
請求項８記載の発明は、請求項１〜７のいずれか１項記載のリール部材であって、巻取軸部の軸方向に互いに結合可能に構成されたことを特徴とするリール部材である。
【００１３】
請求項９記載の発明は、所定のフィルムを巻回可能な巻取軸部と、この巻取軸部に一つ設けられたフランジ部であって、当該フランジ部にフィルムを通過させるための案内溝部を有するフランジ部とを備え、巻取軸部の軸方向に互いに結合可能に構成されたことを特徴とするリール部材である。
【００１４】
請求項１０記載の発明のように、請求項９記載の発明において、前記案内溝部には、フィルムと係合可能な係合部が形成されていることも効果的である。
【００１５】
請求項１１記載の発明のように、請求項９又は１０のいずれか１項記載の発明において、前記案内溝部には、フィルムを係止可能な係止部が形成されていることも効果的である。
【００１６】
請求項１２記載の発明は、所定のフィルムを巻回可能な巻取軸部と、この巻取軸部に一つ設けられたフランジ部であって、当該フランジ部の外周部分にフィルムと係合可能な係合突部を有するフランジ部とを備え、巻取軸部の軸方向に互いに結合可能に構成されたことを特徴とするリール部材である。
【００１７】
請求項１３記載の発明は、請求項８〜１２の一又は二種以上の複数からなるリール部材が結合されて構成されるリール部材結合体である。
【００１８】
請求項１４記載の発明は、請求項１〜７のいずれか１項記載のリール部材又は請求項１３記載のリール部材結合体の巻取軸部に一連のフィルムが巻回されてなることを特徴とするフィルム収容体である。
【００１９】
請求項１５記載の発明のように、請求項１４記載の発明において、当該巻取軸部につき、フィルムが巻回された巻取軸部の間にフィルムが巻回されていない巻取軸部が介在されていることも効果的である。
【００２０】
請求項１６記載の発明は、同一軸上に所定の間隔をおいて複数配列された巻取軸部と、各巻取軸部の両端部に設けられたフランジ部とを有し、各フランジ部に所定の中心角で切り欠かれた案内溝部が、当該中心角ごとに位相がずれて配列されていることを特徴とするリール部材である。
【００２１】
請求項１７記載の発明のように、請求項１６記載の発明において、各巻取軸部の間に、フィルムを誘導するためのスペース軸部が設けられていることも効果的である。
【００２２】
請求項１８記載の発明のように、請求項１６又は１７のいずれか１項記載の発明において、互いに隣接する案内溝部において対向する案内縁部には、フィルムを誘導するための面取りが所定の角度で施されていることも効果的である。
【００２３】
請求項１９記載の発明は、請求項１６〜１８のいずれか１項記載のリール部材に一連のフィルムが巻回されてなることを特徴とするフィルム収容体である。
【００２４】
請求項２０記載の発明のように、請求項１４、１５又は１９のいずれか１項記載の発明において、フィルムは、絶縁性接着フィルムであることも効果的である。
【００２５】
請求項２１記載の発明のように、請求項１４、１５又は１９のいずれか１項記載の発明において、フィルムは、異方導電性接着フィルムであることも効果的である。
【００２６】
請求項２２記載の発明のように、請求項１６又は１７のいずれか１項記載の発明において、フィルムは、剥離フィルムに接着剤が積層されたものであって、フランジ部に対して一方側から他方側に引き回すのに必要な部分に前記剥離フィルムが露出していることも効果的である。
【００２７】
一方、請求項２３記載の発明は、送り出し側から引き出される一連のフィルムを巻取軸に多段状に巻取るフィルムの巻取方法において、巻取軸を所定の速度で回転させることにより巻取軸の一部に当該フィルムの所定の部分を巻き取った後、巻取軸の回転を停止又は減速させるとともに巻取軸を送り側に対して相対的に軸方向に移動させることにより巻取軸の他の一部に当該フィルムの所定の部分を巻取ることを特徴とするフィルムの巻取方法である。
【００２８】
請求項２４記載の発明は、送り出し側から引き出される一連のフィルムを巻取軸のうちフランジによって仕切られる巻取軸の部分ごとに巻取るフィルムの巻取方法において、巻取軸を所定の速度で回転させることにより巻取軸の一の部分に当該フィルムの所定の部分を巻き取った後、巻取軸の回転を停止又は減速させるとともに巻取軸を送り側に対して相対的に軸方向に移動させることにより当該フィルムをフランジを通過させてから巻取軸の他の部分に当該フィルムの所定の部分を巻取ることを特徴とするフィルムの巻取方法である。
【００２９】
請求項２５記載の発明は、請求項１乃至７のいずれか１項記載のリール部材又は請求項１３記載のリール部材結合体を用いて一連のフィルムを巻取る方法につき、一の巻取軸部にフィルムを巻取り終った後、使用しない巻取軸部を少なくとも一つおいて次の巻取軸部にフィルムを巻付けることを特徴とするフィルムの巻取方法である。
【００３０】
請求項２６記載の発明は、請求項１６〜１８のいずれか１項記載のリール部材を用いて一連のフィルムを巻取る方法につき、巻取軸部を軸方向に移動させるタイミングを案内溝部の中心角ごとにずらすことを特徴とするフィルムの巻取方法である。
請求項２７記載の発明は、所定のフィルムを巻回可能な巻取軸部と、該巻取軸部に複数配列された状態で設けられたフランジ部とを有し、該フランジ部には、互いに隣接する巻取軸部にフィルムを通過させるための案内溝部が設けられ、該案内溝部には、フィルムを係止可能な係止部が形成されていることを特徴とするリール部材である。
請求項２８記載の発明は、請求項２７記載のリール部材であって、各案内溝部は、他の案内溝部と互いに対向する位置に配置されていることを特徴とするリール部材である。
請求項２９記載の発明は、請求項２７又は２８のいずれか１項記載のリール部材であって、前記フランジ部の外径は、フィルムが前記巻取軸部に巻取られることによって当該フィルムに生じる応力の値に基づいて定められることを特徴とするリール部材である。
請求項３０記載の発明は、請求項２７乃至２９のいずれか１項記載のリール部材であって、前記巻取軸部の軸方向に互いに結合可能に構成されたことを特徴とするリール部材である。
請求項３１記載の発明は、所定のフィルムを巻回可能な巻取軸部と、該巻取軸部に一つ設けられたフランジ部であって、当該フランジ部にフィルムを通過させるための案内溝部を有するフランジ部とを備え、前記フランジ部の案内溝部には、フィルムを係止可能な係止部が形成され、前記巻取軸部の軸方向に互いに結合可能に構成されたことを特徴とするリール部材である。
請求項３２記載の発明は、請求項３０又は３１のいずれか１項記載の一又は二種以上の複数からなるリール部材が結合されて構成されるリール部材結合体である。
請求項３３記載の発明は、請求項２７乃至２９のいずれか１項記載のリール部材又は請求項３２記載のリール部材結合体の巻取軸部に一連のフィルムが巻回されてなることを特徴とするフィルム収容体である。
請求項３４記載の発明は、請求項３３記載のフィルム収容体であって、当該巻取軸部につき、フィルムが巻回された巻取軸部の間にフィルムが巻回されていない巻取軸部が介在されていることを特徴とするフィルム収容体である。
請求項３５記載の発明は、同一軸上に所定の間隔をおいて複数配列された巻取軸部と、各巻取軸部の両端部に設けられたフランジ部とを有し、各フランジ部に中心角θで切り欠かれた案内溝部が、当該中心角θごとに位相がずれて配列されていることを特徴とするリール部材である。ただし、当該中心角θは、当該リール部材を構成するフランジ部の単位構成数ｎに対し、３６０度／ｎとする。
請求項３６記載の発明は、請求項３５記載のリール部材であって、各巻取軸部の間に、フィルムを誘導するためのスペース軸部が設けられていることを特徴とするリール部材である。
請求項３７記載の発明は、請求項３５又は３６のいずれか１項記載のリール部材であって、互いに隣接する案内溝部において対向する案内縁部には、フィルムを誘導するための面取りが所定の角度で施されていることを特徴とするリール部材である。
請求項３８記載の発明は、請求項３５乃至３７のいずれか１項記載のリール部材に一連のフィルムが巻回されてなることを特徴とするフィルム収容体である。
請求項３９記載の発明は、請求項３３、３４又は３８のいずれか１項記載のフィルム収容体であって、前記フィルムは、絶縁性接着フィルムであることを特徴とするフィルム収容体である。
請求項４０記載の発明は、請求項３３、３４又は３８のいずれか１項記載のフィルム収容体であって、前記フィルムは、異方導電性接着フィルムであることを特徴とするフィルム収容体である。
請求項４１記載の発明は、請求項３５又は３６のいずれか１項記載のフィルム収容体であって、前記フィルムは、剥離フィルムに接着剤が積層されたものであって、前記フランジ部に対して一方側から他方側に引き回すのに必要な部分に前記剥離フィルムが露出していることを特徴とするフィルム収容体である。
請求項４２記載の発明は、請求項２７乃至２９のいずれか１項記載のリール部材又は請求項３２記載のリール部材結合体を用い、送り出し側から引き出される一連の絶縁性接着フィルム又は異方導電性接着フィルムを巻取軸のうちフランジによって仕切られる前記巻取軸の部分ごとに巻取るフィルムの巻取方法において、前記巻取軸を所定の速度で回転させることにより前記巻取軸の一の部分に当該フィルムの所定の部分を巻き取った後、前記巻取軸の回転を停止又は減速させるとともに前記巻取軸を送り側に対して相対的に軸方向に移動させることにより当該フィルムを前記フランジを通過させてから前記巻取軸の他の部分に当該フィルムの所定の部分を巻取ることを特徴とするフィルムの巻取方法である。
請求項４３記載の発明は、請求項２７乃至２９のいずれか１項記載のリール部材又は請求項３２記載のリール部材結合体を用いて一連の絶縁性接着フィルム又は異方導電性接着フィルムを巻取る方法につき、一の巻取軸部にフィルムを巻取り終った後、使用しない巻取軸部を少なくとも一つおいて次の巻取軸部にフィルムを巻付けることを特徴とするフィルムの巻取方法である。
請求項４４記載の発明は、３５請求項乃至３７のいずれか１項記載のリール部材を用いて一連のフィルムを巻取る方法につき、巻取軸部を軸方向に移動させるタイミングを案内溝部の当該中心角θごとにずらすことを特徴とするフィルムの巻取方法である。
【００３１】
請求項２３記載の発明によれば、巻取軸の一部にフィルムを巻取った後に、巻取軸の回転を停止又は減速させてから巻取軸を軸方向に移動させることにより、巻取軸の他の一部でフィルムの巻取りを円滑に開始できるため、長尺のフィルムに対して、フィルムの巻取り径を所望の値に抑えながら多段状に巻取ることが可能になり、特に、フィルムが接着剤フィルムや異方導電性接着フィルムである場合にあっては、このようなフィルムを接着剤がはみ出ない程度の巻取り径で大径化することなく多段状に巻取ることが可能になる。
【００３２】
また、請求項２４記載の発明によれば、巻取軸上に複数のフランジを有するようなリール部材を用いた場合にあっても、長尺化されたフィルムを大径化することなく多段状に巻取ることが可能になる。
【００３３】
さらに、請求項２５記載の発明によれば、フイルムを折れないようにフランジ部上に引き回しながら多段状に巻取ることが可能になる。
【００３４】
さらにまた、請求項２６記載の発明によれば、重量バランスの均一化を図るとともに、フィルムをスパイラル状に誘導しつつ円滑に引き回すことが可能になる。
【００３５】
請求項２３又は２４記載のフィルムの巻取方法を実施する際に、請求項１〜７記載のリール部材、請求項１６〜１８記載のリール部材又は請求項１３記載のリール部材結合体を用いることによって、長尺化されたフィルムを多段状に巻取ることがより効果的になる。
【００３６】
すなわち、請求項１記載の発明によれば、各フランジ部に案内溝を設けたことにより、一方側の巻取軸部でフィルムの巻取りが終了した段階でフィルムを案内溝を通すことによって他方側の巻取軸部に円滑に移動させることができる。
【００３７】
また、請求項２記載の発明によれば、例えばフィルムを案内溝を通す際に案内溝部内の係合部でフィルムを引っ掛けることによって他方側の巻取軸部にフィルムを巻き付けることができる。
【００３８】
さらに、請求項３記載の発明によれば、例えばフィルムを案内溝を通す際に案内溝部内の係止溝でフィルムを係止することによって他方側の巻取軸部にフィルムを緩まずに巻き付けることができる。
【００３９】
さらにまた、請求項５記載の発明によれば、各フランジ部に係合突部を設けことにより、フィルムを一方側の巻取軸部から他方側の巻取軸部に円滑に移動できる点や、係合突部でフィルムを引っ掛けることができる点はもとより、これらを行うタイミングの幅を広く設定させることが可能になるという利点がある。
【００４０】
さらに加えて、請求項４又は６記載の発明によれば、各案内溝又は各係合突部をフランジ部の円周上で同一位置に配置することによって、フィルムを軸方向に移動させる際やフィルムを引っ掛ける際に、各フランジ部の間で同じタイミングで行わせることが可能になる。
【００４１】
また、請求項７記載の発明によれば、フィルムに生じる応力の値に応じてフランジ部の外径を決定することにより、フランジ部の外周部分からフィルムがはみ出ないように巻取ることを確保すれば、フィルム内から接着剤がはみ出ないこを保証することができる。
【００４２】
請求項１３記載のリール部材結合体は、請求項８〜１２のリール部材を一種又は２種以上複数組み合わせたものであるが、かかるリール部材結合体を用いることにより、フィルムの長尺化の度合に応じて、リール部材の組合せを変更することによって適宜対応することが可能になる。
【００４３】
また、請求項１６記載の発明によれば、フランジ部自体の重心は、案内溝部によって偏るものの、案内溝部をその中心角ごとに位相をずらして配列することにより、リール部材全体の重心を巻取軸線上にのせることができるため、常に均一の回転モーメントをもって長尺のフィルムを巻き取ることができる一方で、互いに隣接する案内溝部において対向する案内縁部によってフィルムを挟んだ状態で次の巻取軸部に誘導可能になる。
【００４４】
さらに、請求項１７記載の発明によれば、スペース軸部の側面でフィルムを次の巻取軸部に誘導できるとともに、スペース軸部の長さの設定により、フィルムの引き回しを緩やかにすることができる。
【００４５】
さらにまた、請求項１８記載の発明によれば、フランジ部の面取りを施した斜面でフィルムを次の巻取軸部に円滑に誘導することができる。
【００４６】
一方、請求項１４、１５、１９〜２２記載のフィルム収容体は、請求項１〜７記載のリール部材、請求項１６〜１８記載のリール部材又は請求項１３記載のリール部材結合体に、例えば、請求項２３〜２６記載のフィルムの巻取方法を施すことによってフィルムを巻き取らせたものであるが、かかるリール収容体のような形態にすることによって、取引市場におく際に長尺化されたフィルムの取扱いを容易にすることができる。
【００４７】
特に、請求項２２記載の発明によれば、フィルムを引き回すのに必要な部分を剥離フィルムのみにすることによって、絶縁性接着剤フィルムや異方導電性接着フィルムを無駄にしなくて済むという利点と、引き回す際によじれた絶縁性接着剤フィルムや異方導電性接着フィルムを顧客に使用させずにその品質を保証できるという利点とがある。
【発明の効果】
【００４８】
以上述べたように本発明によれば、接着剤フィルムの長尺化に対応すべく、接着剤がはみ出ないような径で接着フィルムを多段状に巻取る方法及びこれに適用可能なリール部材を得ることができる。
【発明を実施するための最良の形態】
【００４９】
以下、本発明に係るリール部材は、一連の長尺のフィルムを多段状に巻取るために用いられるが、このフィルムは、特に限定されるものでなく、例えば、回路基板の電極とＩＣチップの電極とを電気的に接続するための、絶縁性接着フィルムや、異方導電性接着フィルムに有効なものである。
【００５０】
このような絶縁性接着フィルムは、剥離フィルムに絶縁性の接着剤がフィルム状に積層されたものである。一方、異方導電性接着フィルムは、上記接着剤に導電粒子を含むものである。
以下、このような絶縁性接着フィルム及び異方導電性接着フィルム（以下、適宜、単に「フィルム」という場合がある）を巻取り可能なリール部材の好ましい実施の形態を図面を参照して説明する。
【００５１】
図１（ａ）は、本発明の第１の実施の形態のリール部材の概略構成を示す正面図、図１（ｂ）は、同リール部材の概略構成を示す右側面である。
図１（ａ）（ｂ）に示すように、本実施の形態のリール部材５０Ａは、例えば樹脂から一体的に構成されたもので、巻取軸部５２Ａと、複数のフランジ部５１Ａとを有している。フランジ部５１Ａは、所定の外径で円板状に形成されたもので、円筒状の巻取軸５２Ａ上に所定の間隔をおいて互いに平行に配列されている。
【００５２】
ここで、絶縁性接着フィルム及び異方導電性接着フィルムは、巻取られる際に生じる応力により接着剤が剥離フィルムからはみ出ないようにする観点から、フィルム幅（例えば１．９mm）や、フィルム厚さ（例えば０．１mm）などの値に応じて、剥離フィルム上に、一定の長さ（例えば２５ｍ）の接着フィルムが、所定の間隔をおいて繰返し形成されている。
さらに、接着フィルムの間隔、すなわち、剥離フィルムの長さは、多段状に巻取る際に接着フィルムを無駄にしない等の観点から、巻取軸の方向に引き回すために必要最小限の範囲で定められている。
【００５３】
このようなフィルムに本実施の形態のリール部材を対応させるため、フランジ部５１Ａの数は、接着フィルムの繰返し数に応じて定められ、また、各フランジ部５１Ａの間隔は、フィルム幅より若干大きくなるように定められている。さらに、フランジ部５１Ａの外径は、巻取ったフィルムを保護する観点から、接着フィルムの長さに応じてその巻取り径より大きくなるように定められている。
【００５４】
図１（ｂ）に示すように、各フランジ部５１Ａには、隣り合う他のフランジ部５１Ａへフィルムを通過させるための案内溝５３Ａが、それぞれ同一形状で形成されている。各案内溝５３Ａは、ロール状のフィルムが一部だけ露出するような大きさで略扇状に切りか欠かれて形成され、他の案内溝５３Ａと対向して軸方向に同列に配列されている。
【００５５】
これにより、各案内溝５３Ａの外周部分に形成された案内縁５４Ａは、フランジ部５１Ａの円周方向に他の案内縁５４Ａと同じ位置でフィルムと当接するようになっている。
【００５６】
一方、巻取軸部５２Ａは、フランジ部５１Ａの数やその間隔に応じた長さで形成されている。また、巻取軸部５２Ａには、所定の断面形状で軸方向に延びる貫通孔５５Ａが形成されているが、本実施の形態の場合、この貫通孔５５Ａは、例えば、キー付きの軸（図示せず）と嵌合可能な形状に形成されている。
【００５７】
図２（ａ）は、本発明の第２の実施の形態のリール部材の概略構成を示す左側面図、図２（ｂ）は、同リール部材の概略構成を示す正面図、図２（ｃ）は、同リール部材の概略構成を示す右側面図である。
図３は、同リール部材の結合した状態を示す正面図である。
【００５８】
図２（ａ）〜図２（ｃ）に示すように、本実施の形態のリール部材５０Ｂは、巻取軸部５２Ｂと、一つのフランジ部５１Ｂとから一体的に構成されている。
【００５９】
本実施の形態の場合、フランジ部５１Ｂは、案内溝５３Ｂの形状が第１の実施の形態のフランジ部５１Ａのものと異なる。すなわち、案内溝５３Ｂは、フィルム幅より大きい幅で一の半径方向に巻取軸部５２Ｂの近傍にまで延びる形状で形成されている。
【００６０】
一方、巻取軸部５２Ｂは、フィルム幅より若干大きい長さの軸部分５２Ｂ１と、この軸部分５２Ｂ１とフランジ部５１Ｂを挟んで同軸上にある係合軸部５２Ｂ２とからなり、係合軸部５２Ｂ２がキー付きの円筒状に形成される一方で、軸部分５２Ｂ１には、キー溝を有する穴が係合軸部５２Ｂ２と嵌合可能に形成されている。
【００６１】
これにより、リール部材５０Ｂは、他のリール部材と軸方向で互い結合することによって双方のフランジ部５１Ｂの案内溝５３Ｂが互いに対向して軸方向に同列に配列されるように構成されている。
【００６２】
また、巻取軸部５２Ｂには、上記実施の形態と同様、貫通孔５５Ｂが形成されている。、本実施の形態の場合、この貫通孔５５Ｂは、例えば、断面「Ｄ字」状の軸と嵌合可能な形状に形成されている。
【００６３】
図３に示すように、このリール部材５０Ｂは、例えば４個結合された場合、各巻取軸５５Ｂが一体化して一つの巻取軸部をなすとともに、各フランジ部５１Ｂが互いに平行に配列されることによって、一体化したリール部材結合体６０Ｂを構成するようになっている。
【００６４】
図４（ａ）は、本発明の第３の実施の形態のリール部材の概略構成を示す正面図、図４（ｂ）は、同リール部材の概略構成を示す右側面図である。
図４（ａ）（ｂ）に示すように、本実施の形態のリール部材５０Ｃは、巻取軸部５２Ｃと、二つのフランジ部５１Ｃとから一体的に構成される。
【００６５】
本実施の形態の場合、各フランジ部５１Ｃは、第２の実施の形態のフランジ部５１Ｂと同一のもので、巻取軸部５２Ｃ上に互いに平行に配列されている。
一方、巻取軸部５２Ｃは、フランジ部５１Ｂを２個配列させるため第２の実施の形態の場合と長さの点で異なるが、その他の構成については第２の実施の形態の巻取軸部５２Ｂと同一である。
【００６６】
図３に示すように、このようなリール部材５０Ｃは、例えば２個結合された場合、第２の実施の形態と同様、一体化したリール部材結合体６０Ｃを構成するようになっている。
【００６７】
図５（ａ）は、本発明の第４の実施の形態のリール部材の概略構成を示す正面図、図５（ｂ）は、同リール部材の概略構成を示す右側面図である。
図５（ａ）（ｂ）に示すように、本実施の形態のリール部材５０Ｄは、巻取軸部５２Ｄと、一つのフランジ部５１Ｄとから一体的に構成されている。
【００６８】
本実施の形態の場合、フランジ部５１Ｄには、案内溝が形成されていない点で第１〜第３の実施の形態のフランジ部５１Ａ〜５１Ｃと異なる。すなわち、フランジ部５１Ｄは、上記フランジ部５１Ａ〜５１Ｃの外周部分の一部に徐々に半径を増加させた曲線部分を滑らかに加えたような形状に形成されている。そして、このような形状につき半径の差が最も大きい段差部分には、フィルムと当接可能な案内縁５４Ｄを有する係合突部５６Ｄが形成されている。
一方、巻取軸部５２Ｄは、第２の実施の形態の巻取軸部５２Ｂと同一の構成である。
【００６９】
図６（ａ）は、本発明の第５の実施の形態のリール部材の概略構成を示す正面図、図６（ｂ）は、同リール部材の概略構成を示す右側面図である。
図７は、同リール部材の軸上で結合した状態を示す正面図である。
【００７０】
図６（ａ）（ｂ）に示すように、本実施の形態のリール部材５０Ｅは、巻取軸部５２Ｅと、一対のフランジ部５１Ｅとから一体的に構成される。
本実施の形態の場合、フランジ部５１Ｅは、第３の実施の形態のフランジ部５１Ｃと同一の構成である。
【００７１】
一方、巻取軸部５２Ｅには、第１の実施の形態と同様、キー溝付きの円形断面状の貫通孔５５Ｅが形成されている。
図７に示すように、このようなリール部材５０Ｅは、例えば接着により軸上で複数連結された場合、一体化したリール部材結合体６０Ｅを構成するようになっている。
【００７２】
図８（ａ）は、本発明の第６の実施の形態のリール部材の概略構成を示す正面図、図８（ｂ）は、同リール部材の概略構成を示す平面図、図８（ｃ）は、同リール部材の係止溝を拡大して示す図である。
図８（ａ）〜図８（ｃ）に示すように、本実施の形態のリール部材５０Ｆは、巻取軸部５２Ｆと、一つのフランジ部５１Ｆとから一体的に構成されている。
【００７３】
本実施の形態の場合、フランジ部５１Ｆは、第１の実施の形態のフランジ部５１Ａに対し、案内溝５３Ｆの形状については同一のものであるが、以下の点で異なる。
すなわち、フランジ部５１Ｆは、フイルムを案内溝５３Ｆ内の案内縁５４Ｆ上を引き回す際にそのフィルムが折れないように保護する観点から、厚さを５mm〜６mmとした上で案内縁５４Ｆが曲線となるようにこの案内縁５４Ｆを含む部分の断面形状が凸曲面状に形成されている。
【００７４】
さらに、フランジ部５１Ｆには、フィルムを他のリール部材に引き回す際にそのフィルムが緩まないようにする観点から、フィルムを係止するための係止溝５７Ｆが設けられている。この係止溝５７Ｆは、フィルムの厚さより若干小さめの幅をもって、案内縁５４Ｆ上にあって案内溝５３Ｆの隅部分からフランジ部５１Ｆの半径方向と略直交する方向に延びるように形成されている。
一方、巻取軸部５２Ｆは、第２の実施の形態の巻取軸部５２Ｂと同一の構成である。
【００７５】
図９（ａ）は、本発明の第７の実施の形態のリール部材の概略構成を示す正面図、図９（ｂ）は、同リール部材の係止溝を拡大して示す図である。
図９（ａ）（ｂ）に示すように、本実施の形態のリール部材５０Ｇは、巻取軸部５２Ｇと、一つのフランジ部５１Ｇとから一体的に構成されている。
【００７６】
本実施の形態の場合、フランジ部５１Ｇは、第７の実施の形態のフランジ部５１Ｆと係止溝５７Ｇについて異なる。
この係止溝５７Ｇは、フィルムの厚さより大きめの幅をもって、案内縁５４Ｇ上にあって案内溝５３Ｇの隅部分からフランジ部５１Ｇの略中央部分に延びる誘導溝部５７Ｇ１を有し、この誘導溝部５７Ｇ１の先端部分には、フィルムの幅より若干大きい径をもつ円形状の係止孔５７Ｇ２が形成されている。また、係止孔５７Ｇ２の入口の近傍には、抜け止め部５７Ｇ３が誘導溝部５７Ｇ１の幅をフィルムの厚さより小さくするように突状に形成されている。
一方、巻取軸部５２Ｇは、第２の実施の形態の巻取軸部５２Ｂと同一の構成である。
【００７７】
図１０は、本発明の第８の実施の形態のリール部材の概略構成を示す正面図である。
図１０に示すように、本実施の形態のリール部材５０Ｈは、巻取軸部５２Ｈと、一つのフランジ部５１Ｈとから一体的に構成されている。
【００７８】
本実施の形態の場合、フランジ部５１Ｈには、フランジ部５１Ｈ自体の重心を巻取軸部５２Ｈ上にあるようにするバランス上の観点から、複数の案内溝５３Ｈが同一の中心角をもってフランジ部５１Ｈの外周部分を等しい間隔で刻むように形成されている。
【００７９】
また、係止溝５７Ｈについても、各案内溝５３Ｈの同じ位置に同一の形状で形成されている。各係止溝５７Ｈは、フィルムの厚さより大きめの幅をもって、案内縁５４Ｈ上にあって案内溝５３Ｈの隅部分から一方向に延び、フィルムの厚さより若干小さめの幅をもって、半径方向に折れ曲がるように形成されている。
一方、巻取軸部５２Ｈは、第２の実施の形態の巻取軸部５２Ｂと同一の構成である。
【００８０】
図１１（ａ）は、本発明の第９の実施の形態のリール部材の概略構成を示す正面図、図１１（ｂ）は、同リール部材の係止溝の一部を拡大して示す図である。
図１１（ａ）（ｂ）に示すように、本実施の形態のリール部材５０Ｋは、巻取軸部５２Ｋと、複数のフランジ部５１Ｋとから一体的に構成されている。
【００８１】
本実施の形態の場合、各フランジ部５１Ｋは、上記同様のバランス上の観点から、同一の中心角をもつ扇形状に形成され、巻取軸部５２Ｋの外周上に同一の間隔をおいて配置されている。これにより、各フランジ部５１Ｋの間には、案内溝５３Ｋが形成され、また、各フランジ部５１Ｋの一方側の縁部分には、案内縁５４Ｋが形成される。
【００８２】
係止溝５７Ｋについては、各案内縁５４Ｋ上にあって案内溝５３Ｋの隅部分からフランジ部５１Ｋにくい込んで巻取軸部５２Ｋの巻取り方向に延び、さらに、巻取軸部５２Ｋを刻むように形成された第１の係止溝５７Ｋ１と、案内縁５４Ｋと対向する他のフランジ部５１Ｋの縁部分に形成された第２の係止溝５７Ｋ２とから構成される。
【００８３】
この第２の係止溝５７Ｋ２は、フィルムの巻取径をもつ円周上において巻取り方向と反対方向に延びるように形成されている。
一方、巻取軸部５２Ｋは、係止溝５７Ｋ１の一部が刻まれている点を除いて第２の実施の形態の巻取軸部５２Ｂと同一の構成である。
【００８４】
図１２（ａ）は、本発明の第１０の実施の形態のリール部材の概略構成を示す正面図、図１２（ｂ）は、同リール部材のフランジ部の案内溝の位置関係を示す図である。
図１３（ａ）は、同リール部材の切断線Ｓ１−Ｓ１に沿って切断した右側面図、図１３（ｂ）は、同リール部材の切断線Ｓ２−Ｓ２に沿って切断した右側面図である。
図１４は、同リール部材の面取り角度を説明するための図である。
【００８５】
図１２（ａ）に示すように、本実施の形態のリール部材５０Ｌは、交互に複数配列されてなる巻取軸部５２Ｌ及びスペース軸部５２０Ｌと、複数のフランジ部５１Ｌとから一体的に構成されている。
【００８６】
スペース軸部５２０Ｌの外径及び長さは、後述する所定の条件に基づいて定められ、巻取軸部５２Ｌの外径及び長さより大きくなっている。
一方、各フランジ部５１Ｌには、この円外形とスペース軸部５２０Ｌの円外形とに挟まれた部分を一定の中心角をもって切り欠いたような扇形状の案内溝５３Ｌが形成されている。
【００８７】
本実施の形態の場合、巻取軸線に関するリール部材５０Ｌ全体の重量バランスを均一する観点から、案内溝５３Ｌの中心角θを、リール部材５０Ｌを構成するフランジ部５１Ｌの単位構成数ｎに対し、３６０度／ｎとし、案内溝５３Ｌは、中心角θごとに位相がずれて配置される。
【００８８】
また、フィルムを引き回す際に互いに隣接する送り出し側と受け取り側との間のフランジ部５１Ｌについて各案内溝５３Ｌに円滑にフィルムを引き回す観点から、フランジ部５１Ｌのそれぞれの案内溝５３Ｌにおいて中心角θを確定する二つの案内縁部５４Ｌのうち、送り出し側のフランジ５１Ｌ部について巻取方向Ｒの下位側の案内縁部５４Ｌと、受け取り側のフランジ部５１Ｌについて巻取方向Ｒの上位側の案内縁部５４Ｌとを対向させるべく、案内溝５３Ｌは、連続的に位相がずれるように配置される。
【００８９】
例えば、図１２（ａ）（ｂ）に示すように、フランジ部５１Ｌの単位構成数ｎを４個とした場合、案内溝５３Ｌの中心角θは、９０度となり、フランジ部５１Ｌの総数は、単位構成数ｎの整数倍（ここでは８個）となる。
【００９０】
巻取軸のスライド方向Ｘ＋の側から順に、フランジ部５１Ｌ１（（１））〜フランジ部５１Ｌ８（（８））とした場合、右側面図の回転座標系（巻取方向Ｒを正）において、フランジ部５１Ｌ１（（１））、５１Ｌ５（（５））は、０度〜９０度の範囲に案内溝５３Ｌ１、５３Ｌ５を有し（鎖線による斜線部分）、フランジ部５１Ｌ２（（２））、５１Ｌ６（（６））は、９０度〜１８０度の範囲に案内溝５３Ｌ２、５３Ｌ６を有し（実線による斜線部分）、フランジ部５１Ｌ３（（３））、５１Ｌ７（（７））は、１８０度〜２７０度の範囲に案内溝５３Ｌ３、５３Ｌ７を有し（実線による斜線部分）、フランジ部５１Ｌ４（（４））、５１Ｌ８（（８））は、２７０度〜３６０度の範囲に案内溝５３Ｌ４、５３Ｌ８を有する（鎖線による斜線部分）。
【００９１】
このような案内溝の配置により、フランジ部自体５１Ｌの重心は、案内溝５３Ｌによって巻取軸線に対して偏心するものの、フランジ部５３Ｌ１（（１））、５３Ｌ５（（５））は、フランジ部５１Ｌ３（（３））、５１Ｌ７（（７））と巻取軸線に関して対称になり、また、フランジ部５１Ｌ２（（２））、５１Ｌ６（（６））は、フランジ部５１Ｌ４（（４））、５１Ｌ８（（８））と巻取軸線に関して対称となるため、リール部材５３Ｌ全体の重心は、巻取軸線上に位置する。
【００９２】
また、送り出し側のフランジ部５１Ｌ２（（２））、５１Ｌ４（（４））、５１Ｌ６（（６））について巻取方向Ｒの下位側の案内縁部５４Ｌ２、５４Ｌ４、５４Ｌ６は、それぞれ、受け取り側のフランジ部５１Ｌ３（（３））、５１Ｌ５（（５））、５１Ｌ７（（７））について巻取方向Ｒの上位側の案内縁部５４Ｌ３、５４Ｌ５、５４Ｌ７と同一平面を挟んで対向する。
【００９３】
さらに、本実施の形態の場合、巻取軸５２Ｌに巻き取られた部分から次の巻取軸部５２Ｌに、フィルムを引き回す際に円滑に、即ち、フィルに折れが生じないようにフィルムを誘導する観点から、送り出し側の案内縁部５４Ｌ２、５４Ｌ４、５４Ｌ６と、受け取り側の案内縁部５４Ｌ３、５４Ｌ５、５４Ｌ７とには、それぞれ、互いに平行な斜面が形成されるように、一定の角度で面取りが施されている。
【００９４】
例えば、図１３（ａ）（ｂ）及び図１２（ａ）に示すように、フランジ部５１Ｌ２（（２））の案内縁部５４Ｌ２については、巻取軸線を含む水平面に対し斜め下方に傾くガイド斜面５８Ｌ２が形成され、フランジ部５１Ｌ３（（３））の案内縁部５４Ｌ２については、巻取軸線を含む水平面に対し斜め上方に傾くガイド斜面５８Ｌ３が形成されている。
他の送り出し側の案内縁部５４Ｌ４、５４Ｌ６や、受け取り側の案内縁部５４Ｌ５、５４Ｌ７についても同様である。
【００９５】
ここで、図１４を参照して、案内縁部５４Ｌの面取り角度αの設定について説明する。
巻取軸部５２Ｌ１に巻き取られたフイルムの最外側部分から、スペース軸部５２０Ｌ１を経由して次の巻取軸部５２Ｌ２にフィルムを引き回す際、このフィルムは、上述したように折れがないように誘導されることが必要であるため、特定の円筒曲面上においてスパイラル曲線となるような軌跡をとることが好ましい。
【００９６】
そこで、本実施の形態の場合、まず、リール部材５０Ｌのうち、フランジ部５１Ｌ１〜５１Ｌ４、これらの間にある巻取軸部５２Ｌ１、５２Ｌ２及びスペース軸部５２０Ｌ１の部分を対象にした上で、フランジ部５１Ｌ１の内面と巻取径Ｄのフィルム上の最上の母線Ｌ１との交点Ｐ１を起点として引き回す際にフィルムが浮き上がった部分に接する直線Ｌ２と、フランジ部５１Ｌ４の内面と巻取軸部５２Ｌ２上の最下の母線との交点Ｐ２から直線Ｌ２に対して平行にひいた直線Ｌ３とに対し、その直線Ｌ２、Ｌ３を最も外側の母線として含み、スペース軸部５２０Ｌの側面と擬似的に一体をなした仮想的円筒曲面Ｃを想定する。
【００９７】
次いで、その仮想的円筒曲面Ｃ上において、交点Ｐ１と直線Ｌ３上で交点Ｐ２からフィルム幅に相当する分だけ離れた点Ｐ３とを結んでスパイラル曲線となるようなフィルム縁軌跡Ｓ１と、交点Ｐ２と直線Ｌ２上で交点Ｐ１からフィルム幅に相当する分だけ離れた点Ｐ４とを結んでスパイラル曲線となるようなフィルム縁軌跡Ｓ２とを考える。
【００９８】
そして、フランジ部５１Ｌ３の面取り角度α３は、ガイド斜面５８Ｌ３がフィルム縁軌跡Ｓ２と接するような角度で定められる。また、フランジ部５１Ｌ２の面取り角度α２は、フランジ部５１Ｌ３の面取り角度α３と同一である。
【００９９】
他のフランジ部５１Ｌ１、５１Ｌ４〜５１Ｌ８の面取り角度α１、α４〜α８についても、同様にフランジ部５１Ｌ３の面取り角度α３と同一である。
【０１００】
なお、フランジ部５１Ｌ２のガイド傾斜面５８Ｌ２は、スペース軸部５２０Ｌ１の長さｄとの関係上、フィルム縁軌跡Ｓ１と接触しない場合と、接触する場合とがある。
【０１０１】
ガイド傾斜面５８Ｌ２がフィルム縁軌跡Ｓ１と接触しないようなスペース軸部５２０Ｌ１の長さｄ１を設定した場合には、スペース軸部５２０Ｌ１の長さｄ１と、フランジ部５１Ｌ２について上位側の案内縁部５４Ｌ２と、これに対して１８０度開いた、フランジ部５１Ｌ３にいて下位側の案内縁部５４Ｌ３とから定められるフィルム誘導空間に伴って仮想的円筒曲面Ｃを大きくし、これにより、スパイラル曲線の進み角が大きくなるため、フィルムの引き回しが緩やかになるという利点があり、本実施の形態では、このような点を利用している。
【０１０２】
一方、本実施の形態では採用していないが、ガイド傾斜面５８Ｌ２がフィルム縁軌跡Ｓ１と接触するようなスペース軸部５２０Ｌ１の長さｄ２（＜ｄ１）を設定した場合には、上記フィルム誘導空間が小さくなることに伴ってフィルムの引き回しがきつくなるものの、フランジ部５１Ｌ３のガイド傾斜面５８Ｌ３及びフランジ部５１Ｌ２のガイド傾斜面５８Ｌ２の双方によってフィルムの両端縁を誘導することによって巻き弛みを防止しうるという利点がある。
【０１０３】
図１５は、本実施の形態のリール部材にフィルムが巻き取られたフィルム収容体を示す正面図である。
図１５に示すように、このフィルム収容体７０Ｃは、本実施の形態のリール部材５０Ｌに後述するフィルムの巻取方法を施したものであるが、引き回された部分のフィルムは、それぞれ、ガイド傾斜面５８Ｌ３、５８Ｌ５、５８Ｌ７と接触しつつ、スパイラル曲線に近似した曲線上にある。
【０１０４】
もっとも、案内縁部５４Ｌ（面取りがされていない）の端面やスペース軸部５２０Ｌの側面のうち、少なくともフィルムと接触する部分を、仮想的円筒曲面Ｃに近づけることによって、引き回される部分のフィルムは、フィルム縁軌跡Ｓ１、Ｓ２とさらに近似した曲線上にのせることが可能になる。
【０１０５】
図１６は、本実施の形態のリール部材を複数の部品要素に分割した例を示す図である。
上述したリール部材５０Ｌは一体的に構成されたものであるが、本実施の形態のリール部材５０Ｌを、複数の部品要素から組立可能に構成することも可能である。
【０１０６】
例えば、図１６に示すように、フランジ部５１Ｌ１及び巻取軸部５２Ｌ１を第１の部品要素５０１Ｌとし、また、フランジ部５１Ｌ８を部品要素５０２Ｌとし、さらに、フランジ部５１Ｌ２及びフランジ部５１Ｌ３と、スペース軸部５２０Ｌ１及び巻取軸部５２Ｌ２とを部品要素５０３Ｌとした上で、部品要素５０１Ｌと部品要素５０３Ｌとを互いに連結可能に構成するとともに、部品要素５０３Ｌと部品要素５０２Ｌとを互いに連結可能に構成する。
【０１０７】
そして、このようなリール部材５０Ｌは、各部品要素５０１Ｌ〜５０３Ｌが９０度ごとに位相がずれて連結されることにより、フランジ部５１Ｌの数を単位構成数ｎにつき任意の整数倍として設定可能なものとなる。
【０１０８】
なお、本実施の形態の場合、フランジ部５１Ｌ１（（１））、５１Ｌ８（（８））に、重量バランスの均一化の観点から、案内溝５３Ｌ１、５３Ｌ８を設けたが、本来、これらはフィルムを引き回す点で不要である。
【０１０９】
そのため、重量バランスの均一化及びフィルムの保護の観点から、案内溝５３Ｌを有するフランジ部５１Ｌを単位構成数ｎの整数倍数分だけ上述したような配置構成した上で、これらの両外側に案内溝５３Ｌが設けられていないフランジ部５１Ｌを配置することも可能である。
【０１１０】
本発明に係るフィルムの巻取方法を実施する際には、例えば、以下に示すような多段巻システムが用いられる。まず、この多段巻システムについて図面を参照して説明する。
【０１１１】
図１７は、本実施の形態のフィルムの巻取方法を実施するための多段巻システムの一例につきその概略構成を示す正面図である。図１８は、同多段巻システムの概略構成を示す左側面図である。
図１７又は図１８に示すように、本実施の形態の多段巻システム１は、送出装置１０と、巻取装置２０とを有する。
【０１１２】
送出装置１０は、絶縁性接着フィルム又は異方導電性接着フィルムが巻回されたリール部材１１を送り軸１２上で回転可能に支持した状態でそのリール部材１１に所定の負荷を与えるように構成されている。
【０１１３】
なお、送出装置１０のリール部材１１は、第１〜第５の実施の形態のリール部材５０の構成とほぼ同様であるが、フランジ部１３の外径については、上記実施の形態のフランジ部５１の外径より大きく、絶縁性接着フィルム又は異方導電性接着フィルムの全体の長さに応じて設定されている。
【０１１４】
巻取装置２０は、巻取機構３０と、移動機構４０と、制御部６０とからなる。
巻取機構３０は、送出装置１０の送り軸１２と平行に配設された巻取軸３１を有する。この巻取軸３１は、例えば、上記第１〜５の実施の形態のリール部材のうち、巻取軸部５１の貫通孔と若干の隙間をもって嵌合可能な断面形状をもつ。これにより、巻取軸３１は、リール部材５０を円周方向への移動を固定したまま軸方向への移動を可能にした状態で支持するようになっている。
【０１１５】
このような巻取軸３１の一方側の端部分には、駆動部３２が設けられている。この駆動部３２は、巻取軸３１上の歯車３２ａに、所定の歯車列３２ｂを介して、ステッピングモータからなる巻取りモータ３２ｃの動力を伝達して巻取軸３１を回転させるように構成されている。
また、巻取りモータ３２ｃの駆動軸には、エンコーダ３２ｄが固定される一方で、このエンコーダ３２ｄの近傍には、光反射型のセンサ３２ｅが設けられている。
【０１１６】
このような巻取りモータ３２ｃ及びセンサ３２ｅは、それぞれ、制御部６０に電気的に接続されている。そして、制御部６０は、センサ３２ｅから信号に基づいて巻取りモータ３２ｃのパルス数をカウントするとともに、そのパルス数に基づいて巻取りモータ３２ｃの回転を制御するように構成されている。
【０１１７】
一方、移動機構４０は、巻取軸３１と平行な一対の軸であって、雄ねじが形成された駆動軸４１と、スライド軸４２とを有している。駆動軸４１の一方側の端部分には、巻取機構２０の場合と同様の構成を有する駆動部４３が設けられている。すなわち、この駆動部４３は、駆動軸４１上の歯車４３ａに動力を伝達することによって駆動軸４１を回転させることが可能なスライドモータ４３ｂと、この駆動軸上のエンコーダ４３ｃを検出可能な光透過型のセンサ４３ｄとからなる。これらのスライドモータ４３ｂ及びセンサ４３ｄは、制御部６０に接続され、巻取機構３０と同様に制御される。
【０１１８】
このような駆動軸４１とスライド軸４２には、移動プレート４４と押圧プレート４５とが取り付けられている。移動プレート４４は、駆動軸４１とねじ結合するとともに、スライド軸４２に対して摺動可能に係合するように構成されている。押圧プレート４５は、駆動軸４１とねじ結合せずスライド軸４２とのみ摺動可能に係合した状態で、図示しないコイルばねにより移動プレート４４側に付勢するように構成されている。
また、移動プレート４４及び押圧プレート４５は、ともに、リール部材５０のフランジ部５１の外周部分とのみ当接するように例えばリング形状に形成されている。
【０１１９】
次に、本発明に係るフィルムの巻取方法の好ましい実施の形態を、例えば、上述したような多段巻システムに第１〜第１０の実施の形態のリール部材５０Ａ〜５０Ｌのうち数種を適用した場合を例にとって説明する。
【０１２０】
図１９〜図２４は、本実施の形態のフィルムの巻取方法について本発明のリール部材によってフィルムが巻取られる状態をもって（ａ）左側面図、（ｂ）正面図で示した図である。
図２５（ａ）は、本実施の形態のフィルム収容体を示す左側面図、図２５（ｂ）は、同フィルム収容体を示す正面図である。
【０１２１】
図１７に示すように、まず、フィルムが巻回されたリール部材１１を送出装置１０に装着するとともに、例えば第１の実施の形態のリール部材５０Ａを巻取装置２０に装着した後、巻取装置２０の移動プレート４４側（図８の最も右側）のフランジ部５１Ａと、送出装置１０の右側のフランジ部１３（以下、「右フランジ部１３ａ」という）とが同一平面上に配置されるように、送り側のリール部材１１に対して巻取り側のリール部材５０Ａを位置決めする。
【０１２２】
次いで、送り出し側のリール部材１１から引き出したフィルム２を、巻取り側のリール部材５０Ａの巻取軸部５１Ａに巻付ける。ここでは、説明の便宜上、図１（ａ）に示すように、リール部材５０Ａのフランジ部５１Ａを、右側のものから、順に、第１のフランジ部５１Ａ１、第２のフランジ部５１Ａ２、第３のフランジ部５１Ａ３、第４のフランジ部５３Ａ４とし、リール部材５０Ａの巻取軸部５２Ａのうち、第１、第２のフランジ部５１Ａ１、５１Ａ２の間のものを第１の巻取軸部５２Ａ１とし、第２、第３のフランジ部５１Ａ２、５１Ａ３の間のものを第２の巻取軸部５２Ａ２とし、第３、第４のフランジ部５１Ａ３、５１Ａ４の間のものを第３の巻取軸部５２Ａ３とする。
【０１２３】
そして、上述した制御部６０からの命令により、巻取りモータ３２Ｃを作動して巻取軸３１の回転を開始させるとともに、巻取りモータ３２Ｃのパルス数のカウントを開始する。
これにより、リール部材５０Ａが、送出装置１０によって負荷を加えられたフィルム２を張った状態のまま第１の巻取軸部５２Ａ１に巻取っていく（図１９参照）。
【０１２４】
図２０に示すように、リール部材５０Ａの第１の巻取軸部５２Ａ１が、接着フィルム２の部分を巻取り終ってから剥離フィルム２ａを巻取り始めた後、制御部６０が、巻取りモータ３２ｃのパルス数のカウントにより、剥離フィルム２ａの、送出側の剥離フィルム２ａと巻取り側のロール状のフィルム２とが接する巻付け部分２ｂが、第２のフランジ部５１Ａ２の案内溝５３Ａ内に差し掛かったと判断したとき、巻取りモータ３２ｃの作動を停止させる。
【０１２５】
図２１に示すように、制御部６０からの命令により、スライドモータ４３ｂを所定のパルス数分だけ作動して駆動軸４１を回転させる。これにより、リール部材５０Ａは、巻取軸３１に沿って第２のフランジ部５１Ａ２が送出側の右フランジ部１３ａの位置を越えて相当の距離に達するまで移動する。この場合、送出側の剥離フィルム２ａが巻取り側のロール状のフィルム２に対してひねられるため、その剥離フィルム２ａは、第２のフランジ部５１Ａ２の案内溝５３Ａからはみ出て第３のフランジ部５１Ａ３に接近する。
【０１２６】
図２２に示すように、この状態のまま、再びリール部材５０Ａを回転させると、第２のフランジ部５１Ａ２が、案内縁５４Ａで剥離フィルム２ａを引っ掛ける。
その後、図２３に示すように、リール部材５０Ａは、回転に伴い、第２のフランジ部５１Ａ２で引っ掛けた状態の剥離フィルム２ａを第２の巻取軸部５２Ａ２に巻付けるが、しばらくすると、剥離フィルム２ａの送り出しが終了して次の接着フィルム２が送られてくるため、そのフィルム２を巻取っていく。
【０１２７】
その一方で、制御部６０が、スライドモータ４３ｂを作動して、リール部材５０Ａを、第２のフランジ部５１Ａ２が送出側の右フランジ部１３ａと同一平面上に配置されるまで戻す。
【０１２８】
これにより、図２４に示すように、リール部材５０Ａは、第２の巻軸部５２Ａ２に対して送り出し側からのフィルム２を平行にした状態で巻取る。
以下、リール部材５０Ａの第３の巻取軸部５２Ａ３に対しても、上述したような巻取り処理を施す。
【０１２９】
そして、図２５に示すように、フィルム収容体７０Ａは、リール部材５０Ａに本実施の形態のフィルムの巻取方法を施すことにより、送り出し側から、接着フィルム２の部分と、剥離フィルム２ａの部分とが交互に送られる一連のフィルム２に対して、剥離フィルム２ａの部分をフランジ部５１Ａから巻取軸部５２Ａに引き回した状態で、接着フィルム２の部分を各巻取軸部５２Ａにロール状に巻取ったものである。
【０１３０】
図２７〜図３０は、本実施の形態のフィルムの巻取方法について本発明に係る他のリール部材によってフィルムが巻取られる状態をもって示した図である。
このフィルムの巻取方法においては、第９の実施の形態のリール部材５０Ｋが複数結合されたリール部材結合体６０Ｋ（以下、単に「リール部材５０Ｋ」という）を用いているが、この巻取方法自体は、第１の実施の形態のリール部材５０Ａを用いた巻取方法と異なるものでなく、以下、リール部材５０Ｋのリール部材５０Ａと異なる形状についての作用を主に説明する。
なお、図２７、図２９、図３０は、それぞれ、図２２（ａ）、図２３（ａ）、図２４（ａ）に対応するものである。
【０１３１】
図２７に示すように、一の巻取軸部５２Ｋにフィルム２を巻取り終えた後、フィルム２が一の案内溝５３Ｋに差し掛かった状態でリール部材５０Ｋ自体をスライドさせてから回転させる。これにより、フィルム２がフランジ部５１Ｋを跨いだ状態でその案内縁５４Ｋと接触する。
【０１３２】
図２８に示すように、リール部材５０Ｋをさらに回転させると、フィルム２は、案内縁５４Ｋとの接点２ｃが第１の係止溝５７Ｋ１に向かう方向に移動し、その一方で、ロール状のフィルム２からほぐれた部分２ｄが第２の係止溝５７Ｋ２に向かう方向に移動する。
【０１３３】
そして、図２９に示すように、フィルム２は、第２の係止溝５７Ｋ２の底に突き当たるとともに第１の係止溝５７Ｋ１に落ち込んだ状態で、二つフランジ部５１Ｋの縁部分にわたって引っ掛けられる。
【０１３４】
その後、図３０に示すように、フィルム２は、第１、第２の係止溝５７Ｋ１、５７Ｋ２の間で緊張状態を保ちつつ、次の巻取軸部５２Ｋに巻き付いてそのまま巻かれていく。
【０１３５】
一方、他の実施の形態のフィルムの巻取方法においては、第１〜第１０の実施の形態のリール部材５０Ａ〜５０Ｌのいずれか一種を用いてフィルムを引き回す際にそのフィルムが折れないように保護する観点から、フィルムを巻取り終わった巻取軸部５２と次にフィルムを巻取ろうとする巻取軸部５２との間に使用しない巻取軸部５２を少なくとも一つ介在させる。これにより、フィルムを巻取り終った巻取軸部５２から引き出すためのフランジ部５１と、フィルムを巻取ろうとする巻取軸部５２に巻き付けるためのフランジ部５１との間にあるフィルムは、巻取軸部５２のすべてに連続的にフィルムを巻取った場合よりも、緩やかな角度で引き回される。
【０１３６】
ただし、このようなフィルムの巻取方法は、同じような観点から構成された第６の実施の形態のリール部材５０Ｆに適用されることが好ましく、この場合、フィルムを、フランジ部５１Ｆの案内溝５３Ｆ内の曲面部分に当てた状態で引き回し、巻取軸部５２Ｆを一つおいて隣接する他のフランジ部５１Ｆの案内溝５３Ｆ内にある係止溝５７Ｆに落とし込んだ後に、次の巻取軸部５２Ｆに巻き付ける。
【０１３７】
ここに、図２６は、他の実施の形態のフィルム収容体を示す正面図であるが、図２１に示すように、このフィルム収容体７０Ｂは、リール部材５０Ｆが複数結合したリール部材結合体６０Ｆに上述したいわゆる一つとばしのフィルムの巻取方法を施したものである。
【０１３８】
一方、他の実施の形態のフィルムの巻取方法においては、上述の場合と同様、フィルムが折れないように円滑に引き回す観点であるが、いわゆる一つとばしでフィルムを巻き取りという概念でなく、送り出し側と受け取り側の各巻取軸部の間に引き回すためのスペースを追加するという概念を取り入れつつ、さらに加えて、重量バランスの均一化の観点から、第１０の実施の形態のリール部材５０Ｌを用いることが好ましい。この場合、フィルムを引き回すタイミング、すなわち、巻取軸部５２Ｌをスライドさせるタイミングを９０度ずつずらす必要がある。
【０１３９】
また、他の実施の形態のフィルムの巻取方法の方法においては、多段巻システム１に上記同様に第１の実施の形態のリール部材５０Ａを適用した場合、第１の巻取軸部５２Ａ１に接着フィルム２を巻き終った段階で、送出側の剥離フィルム２ａの巻き付け部分２ｂが第２のフランジ部５１Ａ２の案内縁５４Ａに差し掛かったとき、リール部材５０Ａの回転を停止させる。そして、リール部材５０Ａを軸方向に移動しながら第２のフランジ５１Ａ２の案内縁５４Ａに剥離フィルム２ａを引っ掛ける。その後の処理は、上記実施の形態と同様である。
【０１４０】
さらに、他の実施の形態のフィルムの巻取方法においては、多段巻システム１に第２、３、５の実施の形態のリール部材５０Ｂ、５０Ｃ、５０Ｅのいずれか一種を適用した場合、第１の実施の形態のリール部材５０Ａを適用した場合と比べて、各案内溝５３Ｂ、５３Ｃ、５３Ｅの形状、大きさが異なる。そのため、ここでは、リール部材５０の回転を停止させるタイミングを変えなければならないが、第１の巻取軸部５２に接着フィルム２を巻き終った段階で、剥離フィルム２ａを第２のフランジ部５１の案内溝５３に通過させて第２の巻取軸部５２に移してからその案内縁５４で引っ掛けながら巻き付ける点や、あるいは、剥離フィルム２ａを第２のフランジ部５１の案内縁５４で引っ掛けながら第２の巻取軸部５２に移した後に巻き付ける点においては上記実施の形態と同様である。
【０１４１】
さらにまた、他の実施の形態のフィルムの巻取方法においては、多段巻システム１に第４の実施の形態のリール部材５０Ｄを適用した場合、各フランジ部５１Ｄの係合突部５６Ｄの周辺で剥離フィルム２ａを通過させ、その案内縁５４Ｄで引っ掛ける点については上記実施の形態と同様であるが、ここでは、各フランジ部５１Ｄの回転に伴いその外周縁部分で剥離フィルム２ａを滑らせてから係合突部５６Ｄの案内縁５４Ｄに引っ掛けることが可能であるため、リール部材５０Ｄの回転を停止させるタイミングの幅を上記実施の形態と比べて拡げてもかまわない。
【０１４２】
さらに加えて、他の実施の形態のフィルムの巻取方法においては、リール部材５０を軸方向に移動する際にリール部材５０の回転を停止させたが、一定の条件下でリール部材５０を巻取る際の速度より減速させた状態で回転し続けてもかまわない。
【０１４３】
この場合、リール部材５０の回転速度は、各フランジ部５１の案内溝５３に剥離フィルムを通過させる点や、各フランジ部５１の案内縁５４に剥離フィルム２ａを引っ掛ける点を担保するように決定されなければならない。
【０１４４】
また、他の実施の形態のフィルムの巻取方法においては、第７、第８の実施の形態のリール部材５０Ｇ、５０Ｈのいずれかを用いた場合、一つの巻取軸部５２にフィルムを巻取り終えた後、そのフィルムをフランジ部５１の案内縁５４上に沿わせつつ、係止溝５７に落とし込むことによって巻取軸部５２の近傍で係止する。
【０１４５】
この場合、リール部材５０Ｇについては、フィルムは、リール部材５０Ｇの回転に伴い、抜け止め部５７Ｇ３により塞がれることによって係止孔５７Ｇ２内で動きが拘束され、係止孔５７Ｇ２内で姿勢を変えながら係止孔５７Ｇ２の縁部分に緊張しつつ当接した状態で巻取軸部５２Ｇに巻き付いていく。
【０１４６】
また、リール部材５０Ｈについては、フィルムは、リール部材５０Ｈの回転に伴い、係止溝５７Ｈの底部分で挟まれることによって固定され、この固定された部分を起点として緊張した状態を保ちながら巻取軸部５２Ｈに巻き付いていく。
【０１４７】
なお、このようなリール部材５０Ｇ、５０Ｈの係止溝５７Ｇ、５７Ｈや、前述のリール部材５０Ｆ、５０Ｋの係止溝５７Ｆ、５７Ｋは、フィルムを多段状に巻取る際に自動的にフランジ部５１に係止するために用いられるほか、本発明においては、これらの係止溝５７は、フイルムを巻取る工程のみを自動的に行い、フィルムを引き回す作業を手動で行うにあたってフィルムをフランジ部５１に係止するためにも用いられる。
【０１４８】
もっとも、手動でフィルムを引き回す場合には、フランジ部５１に設けた案内溝５３は、自動的にフィルムを通過させるという本来の機能が必要とされず、作業者が、例えばフィルムの先端を巻取軸部５２に貼付する場合や、係止溝５７にフィルムを挿入する場合などのように作業孔として必要とされるだけであり、案内溝５３を設けずに係止溝５７だけでも足りる。
【０１４９】
したがって、本発明においては、係止溝５７は、フィルムをフランジ部５１を通過させるという広義における共通点を有する限り、案内溝５３の概念に含まれる。例えば、リール部材５０Ｆ、５０Ｇ、５０Ｈについては、案内溝５３を設けずに係止溝５７のみを「案内溝」として設けることが可能であり、５０Ｋについては、案内溝５３の形状を含めた係止溝５７を「案内溝」として設けることが可能である。
【０１５０】
以上述べたように本実施の形態によれば、リール部材５０の一の巻取軸部５２に接着フィルムを巻取った後に、リール部材５０の回転を停止（又は減速）させてからリール部材５０を軸方向に移動させるようにしたことから、次の巻取軸部５２でフィルムの巻取りを円滑に開始できるため、長尺のフィルムに対して、フィルム内から接着剤がはみ出ない程度の径に抑えながら多段状に巻取ることが可能になる。
【０１５１】
かかる本実施の形態のフィルムの巻取方法を実施する際に、第１〜第１０の実施の形態で示したリール部材５０を用いることによって、長尺化されたフィルムを多段状に巻取ることがより効果的になる。
【０１５２】
例えば、第１〜３、第５〜１０の実施の形態によれば、各フランジ部５１に案内溝５３を設けたことから、一の巻取軸部５２でフィルムの巻取りが終了した段階でフィルムを案内溝５３を通すことによって次の巻取軸部５２に円滑に移動させることができるとともに、第１〜３、第５の実施の形態については、案内溝５３の縁（案内縁）でフィルムを引っ掛けることによって、また、第６〜９の実施の形態については、係止溝５７でフイルムを係止しつつ引っ掛けることによって、次の巻取軸部５２にフィルムを緩まずに巻き付けることができる。
【０１５３】
特に、各フランジ部５１に案内溝５３を設けた点については、各フランジ部５１の外周部分からはみ出ないようにフィルムを巻取ることができるという利点や、第２、３、５、９の実施の形態のように、案内溝５３を巻取軸部５２の近傍にまで延ばすことによって、また、第７、８の実施の形態のように、係止溝を巻取軸部の近傍にまで延ばすことによって、一の巻取軸部５２から次の巻取軸部５２に引き回すのに要するフィルム（剥離フィルム）の長さが短くて済むという利点もある。
【０１５４】
また、第４の実施の形態によれば、各フランジ部５１に係合突部５６を設けたことから、フィルムを一の巻取軸部５２から次の巻取軸部５２に円滑に移動できる点や、係合突部５６でフィルムを引っ掛けることができる点はもとより、これらを行うタイミングの幅を広く設定できるという利点がある。
【０１５５】
さらに、第２〜９の実施の形態によれば、各リール部材５０を軸方向に互いに結合するようにしたことから、フィルムの長尺化の度合に応じて、リール部材５０の結合数を増減させることによって適宜対応することが可能になる。
【０１５６】
さらにまた、第１〜第９の実施の形態によれば、各案内溝５３又は各係合突部５６をフランジ部５１の円周上で同一位置に配置したことから、フィルムを軸方向に移動させる際やフィルムを引っ掛ける際に、各フランジ部５１の間で同じタイミングで行うことができる。
【０１５７】
また、第６の実施の形態によれば、フランジ部５１の厚さを相当の程度厚くした上で案内溝５３内のフイルムを通す部分を曲面状にしたことから、フィルムを引き回す際にそのフィルムが折れることを防止できる。
【０１５８】
特に、このようなリール部材５０について、いわゆる一つとばしのフィルムの巻取方法を使用することによって、より効果的にフィルムの折れを防止できる。
【０１５９】
さらに、第６〜９の実施の形態によれば、案内溝５３の案内縁５４上に係止溝５７を設けてフィルムを自動的にフランジ部５１に係止させることを可能にしたことから、フィルムを引き回す際にフィルムが緩まないように防止できる。
【０１６０】
特に、第９実施の形態のように、巻取軸部５２に巻き付ける部分のフィルムを係止するだけでなく、既に巻き取った外側の部分のフィルムをも係止させることを可能にしたことから、より効果的にフィルムの緩みを防止できる。
【０１６１】
もっとも、第１〜５の実施の形態であっても、案内溝５３の隅部又は底部にフィルムを引っ掛けた状態のまま巻取軸部５２に巻き付けることによってフィルムの緩みを防止できるが、この場合、フィルムが案内溝５３の引っ掛けた部分から動かないようにフィルムにある程度の大きさの張力を与え続けなければならず、その一方で、第６〜９の実施の形態の場合は、フィルムを係止溝５７で一旦係止してしまえば、その後フィルムに与える張力を必要最小の大きさにすることができるため、薄いフィルムの巻取りに適するという利点がある。
【０１６２】
さらに、第８、９の実施の形態によれば、フランジ部５１自体の重心を巻取軸部５２上にあるようにしたことから、このようなフランジ部５１を構成に含むリール部材５０に対し、均一の回転モーメントをもって回転させることが可能になるため、フィルムに必要最小の張力を与えつつ均一に巻取ることができる。
【０１６３】
また、このようなリール部材５０にフィルムを巻取らせたフィルム収容体７０は、全体についての重心が巻取軸部５２上にあって安定性があるため、出荷の際の納品形態について種々の幅をもたせることができる。
【０１６４】
さらに、第１０の実施の形態によれば、リール部材５０Ｌの重量バランスの均一化を図ることにより、常に均一の回転モーメントをもって長尺のフィルムを巻き取ることができるとともに、フィルムをスパイラル状に誘導しつつ円滑に引き回すことにより、折れを生じずに長尺のフィルムを巻き取ることができ、その結果、顧客に、折れ跡のない（捨てる部分のない）フィルムを収容したフィルム収容体７０Ｃを提供することができる。
【０１６５】
特に、この実施の形態の場合、重量バランスの点から定められる単位構成数ｎごとに巻取軸部５２Ｌ及びフランジ部５１Ｌの数を増加することによって、重量バランスの均一を保ったまま、多段状に巻き取るフィルムの長さをさらに増大させることができる。
【０１６６】
例えば、リール部材５０Ｌを用いて巻き取り可能なフィルムの長さは、一つの巻取軸部５２Ｌに５０メートルのフィルムを巻き取るとした場合、単位構成数ｎ（＝４）に整数倍Ｎを乗じて、２００＊Ｎメートルとなる。
【図面の簡単な説明】
【０１６７】
【図１】（ａ）：本発明の第１の実施の形態のリール部材の概略構成を示す正面図である。（ｂ）：同リール部材の概略構成を示す右側面である。
【図２】（ａ）：本発明の第２の実施の形態のリール部材の概略構成を示す左側面図である。（ｂ）：同リール部材の概略構成を示す正面図である。（ｃ）：同リール部材の概略構成を示す右側面図である。
【図３】同リール部材の結合した状態を示す正面図である。
【図４】（ａ）：本発明の第３の実施の形態のリール部材の概略構成を示す正面図である。（ｂ）：同リール部材の概略構成を示す右側面図である。
【図５】（ａ）：本発明の第４の実施の形態のリール部材の概略構成を示す正面図である。（ｂ）：同リール部材の概略構成を示す右側面図である。
【図６】（ａ）：本発明の第５の実施の形態のリール部材の概略構成を示す正面図である。（ｂ）：同リール部材の概略構成を示す右側面図である。
【図７】同リール部材の軸上で結合した状態を示す正面図である。
【図８】（ａ）：本発明の第６の実施の形態のリール部材の概略構成を示す正面図である。（ｂ）：同リール部材の概略構成を示す平面図である。（ｃ）：同リール部材の係止溝を拡大して示す図である。
【図９】（ａ）：本発明の第７の実施の形態のリール部材の概略構成を示す正面図である。（ｂ）：同リール部材の係止溝を拡大して示す図である。
【図１０】本発明の第８の実施の形態のリール部材の概略構成を示す正面図である。
【図１１】（ａ）：本発明の第９の実施の形態のリール部材の概略構成を示す正面図である。（ｂ）：同リール部材の係止溝の一部を拡大して示す図である。
【図１２】（ａ）：本発明の第１０の実施の形態のリール部材の概略構成を示す正面図である。（ｂ）：同リール部材のフランジ部の案内溝の位置関係を示す図である。
【図１３】（ａ）：同リール部材の切断線Ｓ１−Ｓ１に沿って切断した右側面図である。（ｂ）：同リール部材の切断線Ｓ２−Ｓ２に沿って切断した右側面図である。
【図１４】同リール部材の面取り角度を説明するための図である。
【図１５】同リール部材にフィルムが巻き取られたフィルム収容体を示す正面図である。
【図１６】同リール部材を部品の要素に分割した例を示す図である。
【図１７】本実施の形態のフィルムの巻取方法を実施するための多段巻システムの一例につきその概略構成を示す正面図である。
【図１８】同多段巻システムの概略構成を示す左側面図である。
【図１９】（ａ）（ｂ）：本実施の形態のフィルムの巻取方法について本発明のリール部材によってフィルムが巻取られる状態をもって示した図である。
【図２０】（ａ）（ｂ）：本実施の形態のフィルムの巻取方法について本発明のリール部材によってフィルムが巻取られる状態をもって示した図である。
【図２１】（ａ）（ｂ）：本実施の形態のフィルムの巻取方法について本発明のリール部材によってフィルムが巻取られる状態をもって示した図である。
【図２２】（ａ）（ｂ）：本実施の形態に用いられるリール部材によってフィルムが巻取られる状態を示した図である。
【図２３】（ａ）（ｂ）：本実施の形態に用いられるリール部材によってフィルムが巻取られる状態を示した図である。
【図２４】（ａ）（ｂ）：本実施の形態のフィルムの巻取方法について本発明のリール部材によってフィルムが巻取られる状態をもって示した図である。
【図２５】（ａ）：本実施の形態のフィルム収容体を示す左側面図である。（ｂ）：同フィルム収容体を示す正面図である。
【図２６】他の実施の形態のフィルム収容体を示す正面図である。
【図２７】本実施の形態のフィルムの巻取方法について本発明に係る他のリール部材によってフィルムが巻取られる状態をもって示した図である。
【図２８】本実施の形態のフィルムの巻取方法について本発明に係る他のリール部材によってフィルムが巻取られる状態をもって示した図である。
【図２９】本実施の形態のフィルムの巻取方法について本発明に係る他のリール部材によってフィルムが巻取られる状態をもって示した図である。
【図３０】本実施の形態のフィルムの巻取方法について本発明に係る他のリール部材によってフィルムが巻取られる状態をもって示した図である。
【符号の説明】
【０１６８】
５０（Ａ〜Ｈ、Ｋ、Ｌ）  リール部材
５１（Ａ〜Ｈ、Ｋ、Ｌ）  フランジ部
５２（Ａ〜Ｈ、Ｋ、Ｌ）  巻取軸部
５２０Ｌ  スペース軸部
５３（Ａ〜Ｃ、Ｅ、Ｆ、Ｇ、Ｈ、Ｋ、Ｌ）  案内溝
５４（Ａ〜Ｈ）  案内縁
５４Ｌ  案内縁部
５６（Ｄ）  係合突部
５７（Ｆ、Ｇ、Ｈ、Ｋ）
６０（Ｂ、Ｃ、Ｅ、Ｋ）  リール部材結合体
７０（Ａ、Ｂ、Ｃ）フィルム収容体
【図１】
2007191314.tif 000003
【図２】
2007191314.tif 000004
【図３】
2007191314.tif 000005
【図４】
2007191314.tif 000006
【図５】
2007191314.tif 000007
【図６】
2007191314.tif 000008
【図７】
2007191314.tif 000009
【図８】
2007191314.tif 000010
【図９】
2007191314.tif 000011
【図１０】
2007191314.tif 000012
【図１１】
2007191314.tif 000013
【図１２】
2007191314.tif 000014
【図１３】
2007191314.tif 000015
【図１４】
2007191314.tif 000016
【図１５】
2007191314.tif 000017
【図１６】
2007191314.tif 000018
【図１７】
2007191314.tif 000019
【図１８】
2007191314.tif 000020
【図１９】
2007191314.tif 000021
【図２０】
2007191314.tif 000022
【図２１】
2007191314.tif 000023
【図２２】
2007191314.tif 000024
【図２３】
2007191314.tif 000025
【図２４】
2007191314.tif 000026
【図２５】
2007191314.tif 000027
【図２６】
2007191314.tif 000028
【図２７】
2007191314.tif 000029
【図２８】
2007191314.tif 000030
【図２９】
2007191314.tif 000031
【図３０】
2007191314.tif 000032